(57)【要約】【課題】表示メモリ性を有し、かつ積層するパネルの数が少なくてもカラー表示（多色表示）が可能な表示装置を提供する。【解決手段】第１の表示パネル６０ａ及び第２の表示パネル６０ｂを重ね合わせ、接着剤６７により接合する。第１及び第２の表示パネル６０ａ，６０ｂは、隔壁６４により１つのカラー表示画素が、赤色表示領域、緑色表示領域、青色表示領域及び白色表示領域に分割されている。第１の表示パネル６０ａの赤色表示領域、緑色表示領域、青色表示領域及び白色表示領域には、それぞれＲ−Ｌ体、Ｇ−Ｌ体、Ｂ−Ｌ体及びＣ−Ｌ体のコレステリック液晶を封入する。また、第２の表示パネル６０ｂの赤色表示領域、緑色表示領域、青色表示領域及び白色表示領域には、それぞれＲ−Ｒ体、Ｇ−Ｒ体、Ｂ−Ｒ体及びＹ−Ｌ体のコレステリック液晶を封入する。【選択図】図６
2010039038.tif 000002
【特許請求の範囲】
【請求項１】
第１の波長の光を反射する第１の副画素、第２の波長の光を反射する第２の副画素、及び第３の波長の光を反射する第３の副画素を有する第１の表示パネルと、
前記第１の波長の光を反射する第４の副画素、前記第２の波長の光を反射する第５の副画素、及び前記第１乃至第３の波長のいずれとも異なる第４の波長の光を反射する第６の副画素を有し前記第１の表示パネルに重ねて配置される第２の表示パネルとを具備し、
前記第１の副画素及び前記第４の副画素のいずれか一方の副画素で反射される光が左円偏光、他方の副画素で反射される光が右円偏光であり、
前記第２の副画素及び前記第５の副画素のいずれか一方の副画素で反射される光が左円偏光、他方の副画素で反射される光が右円偏光であることを特徴とする表示装置。
【請求項２】
前記第３の波長の光及び前記第４の波長の光のいずれか一方がシアン光であり、他方がイエロー光であることを特徴とする請求項１に記載の表示装置。
【請求項３】
前記第１及び第２の表示パネルが、いずれも一対の透明基板間にコレステリック液晶を挟んだ構造を有することを特徴とする請求項１又は２に記載の表示装置。
【請求項４】
前記第１及び第２の表示パネルがフレキシブル性を有することを特徴とする請求項１又は２に記載の表示装置。
【請求項５】
赤色光を反射する第１の赤副画素と、緑色光を反射する第１の緑副画素と、青色光を反射する第１の青副画素と、シアン光を反射する第１の白副画素とを有する第１の表示パネルと、
赤色光を反射する第２の赤副画素と、緑色光を反射する第２の緑副画素と、青色光を反射する第２の青副画素と、イエロー光を反射する第２の白副画素とを有し前記第１の表示パネルに重ねて配置される第２の表示パネルとを具備し、
前記第１及び第２の赤副画素のいずれか一方の副画素で反射される光が左円偏光、他方の副画素で反射される光が右円偏光であり、
前記第１及び第２の緑副画素のいずれか一方の副画素で反射される光が左円偏光、他方の副画素で反射される光が右円偏光であり、
前記第１及び第２の青副画素のいずれか一方の副画素で反射される光が左円偏光、他方の副画素で反射される光が右円偏光であることを特徴とする表示装置。
【発明の詳細な説明】
【技術分野】
【０００１】
本発明は、複数の表示パネルを積層した構造を有する表示装置に関する。
【背景技術】
【０００２】
電子ペーパーは、画像（文字及び記号等を含む）を電気的に書き換え可能であり、電力の供給を停止しても画像が消えないという性質（表示メモリ性）を有する表示装置である。電子ペーパーには、電子ブック、電子新聞及び電子ポスター等への応用が期待されており、薄くて紙のように曲げることができ、消費電力が極めて少なく、目に優しく疲れない表示であることが要求されている。
【０００３】
電子ペーパーの一つに、コレステリック液晶を用いた反射型液晶表示装置（以下、コレステリック液晶表示装置という）がある。コレステリック液晶表示装置は、相互に対向して配置された第１及び第２の透明基板間にコレステリック液晶を封入した構造を有している。コレステリック液晶は、ネマティック液晶にカイラル材を比較的大量（数十重量％）に添加したものである。ネマティック液晶にカイラル材を大量に添加すると、ネマティック液晶分子を強く螺旋状にねじったコレステリック相を形成することができる。
【０００４】
第１及び第２の透明基板にはそれぞれ、ＩＴＯ（Indium-Tin Oxide）等の透明導電体からなる電極が設けられている。これらの電極に印加する電圧を制御することにより、液晶分子の状態をプレーナ状態（干渉反射モード）、フォーカルコニック状態（透過モード）、又はそれらが混在する状態に変化させることができる。プレーナ状態では液晶分子の螺旋ピッチに応じた波長の光を反射し、フォーカルコニック状態では光が液晶層を透過する。
【０００５】
コレステリック液晶表示装置では、電圧の印加を停止してもその前の状態（プレーナ状態、フォーカルコニック状態又はそれらが混在する状態）が長時間保持され、画像は表示されたままになる。また、赤色（Ｒ）光を反射する表示パネルと、緑色（Ｇ）光を反射する表示パネルと、青色（Ｂ）光を反射する表示パネルとを重ね合わせ、背面に黒色の光吸収層を配置することにより、カラー表示（多色表示）が可能である。このカラー表示装置では、全ての表示パネルを透過モードとすれば全面に黒が表示され、所望の色の表示パネルを干渉反射モードとすれば、所望の色の画像を表示することができる。
【特許文献１】特開２００２−１１６４６１号公報
【特許文献２】特許第３４９３４５４号公報
【発明の開示】
【発明が解決しようとする課題】
【０００６】
上述したように、コレステリック液晶表示装置では、カラー表示を実現するために赤色用表示パネル、緑色用表示パネル及び青色用表示パネルの３枚の表示パネルを積層している。そのため、液晶表示装置の厚さが厚くなり、曲げ性（フレキシブル性）が損なわれる。よって、表示メモリ性を有し、かつ積層するパネルの数が少なくてもカラー表示（多色表示）が可能な表示装置が要望されている。
【課題を解決するための手段】
【０００７】
一観点によれば、第１の波長の光を反射する第１の副画素、第２の波長の光を反射する第２の副画素、及び第３の波長の光を反射する第３の副画素を有する第１の表示パネルと、前記第１の波長の光を反射する第４の副画素、前記第２の波長の光を反射する第５の副画素、及び前記第１乃至第３の波長のいずれとも異なる第４の波長の光を反射する第６の副画素を有し前記第１の表示パネルに重ねて配置される第２の表示パネルとを具備し、前記第１の副画素及び前記第４の副画素のいずれか一方の副画素で反射される光が左円偏光、他方の副画素で反射される光が右円偏光であり、前記第２の副画素及び前記第５の副画素のいずれか一方の副画素で反射される光が左円偏光、他方の副画素で反射される光が右円偏光である表示装置が提供される。
【発明の効果】
【０００８】
上記一観点によれば、第１の副画素及び前記第４の副画素のいずれか一方の副画素で反射される光が左円偏光、他方の副画素で反射される光が右円偏光であり、第２の副画素及び前記第５の副画素のいずれか一方の副画素で反射される光が左円偏光、他方の副画素で反射される光が右円偏光である。従って、第１の波長の光及び第２の波長の光をほぼ１００％反射することができる。
【０００９】
また、上記一観点によれば、第１及び第２の波長と異なる第３及び第４の波長の光を第３及び第６の副画素で反射するので、表示装置で反射される光のＹ値を向上させることができる。これにより、第３及び第６の副画素がないときに比べてより明るい表示が可能になる。
【００１０】
更に、上記一観点によれば、２枚の表示パネルにより多色表示が可能になるので、良好な曲げ性を確保することができる。
【発明を実施するための最良の形態】
【００１１】
以下、実施形態について説明する前に、実施形態の理解を容易にするための予備的事項について説明する。
【００１２】
（コレステリック液晶）
図１（ａ），（ｂ）は、コレステリック液晶表示装置の原理を示す模式図である。コレステリック液晶表示装置は、図１（ａ），（ｂ）に示すように、透明基板１１，１２間にコレステリック液晶層１３を挟んだ構造の表示パネル１０を有している。液晶層１３は、印加する電圧に応じて、プレーナ状態、フォーカルコニック状態又はそれらが混在する状態になる。
【００１３】
プレーナ状態のときは、図１（ａ）に示すように、表示装置に入射した光（自然光）のうち液晶分子１３ａの螺旋ピッチに応じた波長の光が選択的に反射される。このとき反射される光は、液晶分子１３ａの螺旋構造（螺旋の巻き方：嘗性）に応じた左右どちらか一方の円偏光（図１（ａ）では右円偏光）であり、液晶分子１３ａで反射されない円偏光（図１（ａ）では左円偏光）は液晶層１３を透過する。
【００１４】
一方、フォーカルコニック状態のときは、図１（ｂ）に示すように、表示装置に入射した光（自然光）は、その波長にかかわらず液晶層１３を透過する。以下の説明では、左円偏光を反射する液晶をＬ体と呼び、右円偏光を反射する液晶をＲ体と呼ぶ。
【００１５】
自然光は左右の円偏光が入り混じった状態であるため、プレーナ状態では液晶層１３に入射した光のうち５０％が反射され、残りの５０％が透過する。反射が最大となる波長λは、液晶の平均屈折率をｎ、液晶分子の螺旋ピッチをｐとすると、下記（１）式で表わされる。
λ＝ｎ・ｐ  …（１）
この（１）式からわかるように、コレステリック液晶の場合、液晶分子の螺旋ピッチｐを調整することにより、赤色（波長：６２５〜７４０ｎｍ）、緑色（波長：５００〜５６５ｎｍ）又は青色（波長：４５０〜４８５ｎｍ）を表示する表示パネルを作成することができる。また、液晶分子の螺旋ピッチｐを調整することにより、イエロー（波長：５８０〜５９５ｎｍ）又はシアン（波長：４８０〜４９０ｎｍ）を表示する液晶パネルの作製も可能である。更に、カイラル剤により液晶分子の螺旋構造（嘗性）を制御することにより、右円偏光を反射する表示パネル（Ｒ体）及び左円偏光を反射する表示パネル（Ｌ体）の作製も可能である。
【００１６】
ところで、物体色で明るさを表わすのには明度を用いる。明度は、ＸＹＺ表色系における三刺激値Ｙ（以下、「Ｙ値」という）にほぼ対応し、反射物体ではＹ値を視感反射率と呼ぶ。パソコン用表示装置（透過型液晶表示装置）等の明るさを表わす単位としてカンデラ（ｃｄ）を用いることがあるが、反射型表示装置の明るさを示す尺度にはＹ値を用いることが多い。Ｙ値は分光反射率と分光視感効率とに依存する。
【００１７】
（参考例１）
図２は、コレステリック液晶表示装置の一例（参考例１）を示す断面図である。また、図３（ａ）は同じくそのコレステリック液晶表示装置の赤色用表示パネル２１の平面図、図３（ｂ）は赤色用表示パネル２１の断面の一部を拡大して示す図である。
【００１８】
この液晶表示装置は、図２に示すように、赤色用表示パネル２１、緑色用表示パネル２２及び青色用表示パネル２３をこの順に重ね合わせ、接着剤２５で接合した構造を有している。赤色用表示パネル２１の背面（図２では下面側）には、表示パネル２１，２２，２３を透過した光を吸収する黒色の光吸収層２４が配置されている。
【００１９】
赤色用表示パネル２１は、図３（ｂ）に示すように、曲げ性（フレキシブル性）を有するフィルム状の透明基板３１，３５の間にコレステリック液晶層３３を挟んだ構造を有している。図２に示すように、透明基板３１，３５間には、透明基板３１，３５間の間隔を一定に維持するためのスペーサ３６が配置されている。なお、図３（ｂ）中の符号３７は、透明基板３１，３５の表示領域の縁部に沿って塗布されたシール材を示している。透明基板３１，３５間の液晶３３は、シール材３７により基板３１，３５間に封入される。
【００２０】
図３（ａ），（ｂ）に示すように、透明基板３１の液晶層３３側の面には、横方向に延びる行電極３２が縦方向に一定のピッチで配列している。また、透明基板３５の液晶層３３側の面には、縦方向に延びる列電極３４が横方向に一定のピッチで配列している。これらの行電極３２及び列電極３４は、いずれもＩＴＯ等の透明導電体材料により形成されている。
【００２１】
行電極３２と列電極３４とが交差する領域がそれぞれ画素に対応する。緑色用表示パネル２２及び青色用表示パネル２３の構造も、液晶分子の螺旋ピッチが異なることを除けば、赤色用表示パネル２１と基本的に同じである。このコレステリック液晶表示装置では、赤色用表示パネル２１の画素、緑色用表示パネル２２の画素及び青色用表示パネル２３の画素をパネルの厚さ方向に重ねてカラー表示画素としている。従って、カラー表示画素の大きさは、赤色用表示パネル２１の画素、緑色用表示パネル２２の画素及び青色用表示パネル２３の画素の大きさと同じである。
【００２２】
表示パネル２１，２２，２３の各行電極３２及び列電極３４に供給する電圧を制御することにより、液晶分子の状態（プレーナ状態、フォーカルコニック状態又はそれらが混在する状態）を表示パネル２１，２２，２３の各画素毎に制御することができる。これにより、液晶表示装置に所望のカラー画像を表示することができる。
【００２３】
上述の参考例１の液晶表示装置では、カラー表示画素の全面で赤色光、緑色光及び青色光を反射するので、比較的明るい表示が可能であるという利点がある。しかし、参考例１の液晶表示装置では、３枚の表示パネル（赤色用表示パネル２１、緑色用表示パネル２２及び青色用表示パネル２３）を重ね合わせて形成しているため、曲げ性が損なわれ、紙のように湾曲させることが困難である。また、表示パネルが３枚必要であるため、製造コストが高くなる。
【００２４】
（参考例２）
図４（ａ）は参考例２のコレステリック液晶表示装置の構造を示す平面図、図４（ｂ）は図４（ａ）のＩ−Ｉ線による断面図である。
【００２５】
参考例２の液晶表示装置は、図４（ｂ）に示すように、フィルム状の透明基板４１，４６の間にコレステリック液晶層４３を挟んだ構造を有している。透明基板４１の下側には、液晶層４３を透過した光を吸収する黒色の光吸収層（図示せず）が配置されている。
【００２６】
この参考例２の液晶表示装置では、図４（ａ），（ｂ）に示すように、１つのカラー表示画素（図４（ａ）中に破線で囲んだ領域）を隔壁４４により、赤色表示領域Ｒ、緑色表示領域Ｇ及び青色表示領域Ｂに分割している。赤色表示領域Ｒには、プレーナ状態のときに赤色光を反射するコレステリック液晶が封入されている。また、緑色表示領域Ｇには、プレーナ状態のときに緑色光を反射するコレステリック液晶が封入されている。更に、青色表示領域Ｂには、プレーナ状態のときに青色光を反射するコレステリック液晶が封入されている。以下の説明では、１つのカラー表示画素内の色表示領域（赤色表示領域Ｒ、緑色表示領域Ｇ及び青色表示領域Ｂ）をそれぞれ副画素ともいう。
【００２７】
透明基板４１の液晶層４３側の面（図４（ｂ）では上面）には、色表示領域の縦方向の長さに対応する幅で横方向に延びる第１の副画素電極４２が形成されている。これと同様に、透明基板４６の液晶層４３側の面（図４（ｂ）では下面）には、色表示領域の横方向の長さに対応する幅で縦方向に延びる第２の副画素電極４５が形成されている。これらの第１及び第２の副画素電極４２，４５は、いずれもＩＴＯ等の透明導電材料により形成されている。
【００２８】
参考例２の液晶表示装置では、第１及び第２の副画素電極４２，４５間に印加する電圧を制御することにより、第１及び第２の副画素電極４２，４５が交差する領域（すなわち、副画素）の液晶分子の状態（プレーナ状態、フォーカルコニック状態又はそれらが混在する状態）を制御することができる。赤色表示領域Ｒ、緑色表示領域Ｇ及び青色表示領域Ｂ毎に液晶分子の状態を制御することにより、液晶表示装置に所望のカラー画像を表示することができる。
【００２９】
上述の参考例２の液晶表示装置では、１枚の表示パネルでカラー表示が可能であるため、曲げ性が極めて良好である。しかし、参考例１，２の液晶表示装置のカラー表示画素の大きさが同じであるとすると、参考例２の液晶表示装置では赤色表示領域Ｒ、緑色表示領域Ｇ及び青色表示領域Ｂの面積が参考例１の液晶表示装置の１／３となる。このため、参考例１の液晶表示装置に比べて明るさ（白表示時の明るさ）が１／３になり、画像が暗くなってしまう。
【００３０】
（参考例３）
図５（ａ）は参考例３のコレステリック液晶表示装置の構造を示す平面図、図５（ｂ）は図５（ａ）のII−II線による断面図である。
【００３１】
この参考例３の液晶表示装置は、図５（ｂ）に示すように、２枚の表示パネル５０ａ，５０ｂを重ね合わせ、接着剤５７で接合した構造を有している。表示パネル５０ａの下側には、表示パネル５０ａ，５０ｂを透過した光を吸収する黒色の光吸収層（図示せず）が配置されている。
【００３２】
表示パネル５０ａ，５０ｂは、いずれもフィルム状の透明基板５１，５６間にコレステリック液晶層５３を挟んだ構造を有している。また、表示パネル５０ａ，５０ｂは、いずれも隔壁５４により、１つのカラー表示画素に対応する領域（図５（ａ）中に破線で囲んだ領域）が、赤色表示領域Ｒ、緑色表示領域Ｇ及び青色表示領域Ｂに分割されている。
【００３３】
透明基板５１の液晶層５３側の面には、色表示領域の縦方向の長さに対応する幅で横方向に延びる第１の副画素電極５２が形成されている。これと同様に、透明基板５６の液晶層５３側の面には、色表示領域の横方向の長さに対応する幅で縦方向に延びる第２の副画素電極５５が形成されている。これらの第１及び第２の副画素電極５２，５５は、いずれもＩＴＯ等の透明導電材料により形成されている。
【００３４】
表示パネル５０ａの赤色表示領域Ｒには、プレーナ状態のときに赤色の左円偏光を反射するコレステリック液晶（Ｒ−Ｌ体）が封入されている。また、表示パネル５０ａの緑色表示領域Ｇには、プレーナ状態のときに緑色の左円偏光を反射するコレステリック液晶（Ｇ−Ｌ体）が封入されている。更に、表示パネル５０ａの青色表示領域Ｂには、プレーナ状態のときに青色の左円偏光を反射するコレステリック液晶（Ｂ−Ｌ体）が封入されている。
【００３５】
一方、表示パネル５０ｂの赤色表示領域Ｒには、プレーナ状態のときに赤色の右円偏光を反射するコレステリック液晶（Ｒ−Ｒ体）が封入されている。また、表示パネル５０ｂの緑色表示領域Ｇには、プレーナ状態のときに緑色の右円偏光を反射するコレステリック液晶（Ｇ−Ｒ体）が封入されている。更に、表示パネル５０ｂの青色表示領域Ｂには、プレーナ状態のときに青色の右円偏光を反射するコレステリック液晶が（Ｂ−Ｒ体）封入されている。
【００３６】
参考例３の液晶表示装置では、第１及び第２の副画素電極５２，５５間に印加する電圧を制御することにより、第１及び第２の副画素電極５２，５５が交差する領域（すなわち、副画素）の液晶分子の状態（プレーナ状態、フォーカルコニック状態又はそれらが混在する状態）を制御することができる。
【００３７】
図５（ｂ）に示すように、表示パネル５０ａの赤色表示領域Ｒは表示パネル５０ｂの赤色表示領域Ｒに重なり、表示パネル５０ａの緑色表示領域Ｇは表示パネル５０ｂの緑色表示領域Ｇに重なり、表示パネル５０ａの青色表示領域Ｂは表示パネル５０ｂの青色表示領域Ｂに重なっている。
【００３８】
参考例３の液晶表示装置では、表示パネル５０ｂにより右円偏光を反射し、表示パネル５０ａにより左円偏光を反射するので、参考例２の液晶表示装置の２倍の明るさを確保することができる。また、表示パネルが２枚でよいので、曲げ性が比較的良好である。但し、参考例１の液晶表示装置に比べて明るさ（白表示時の明るさ）は２／３となる。このため、より一層の明るい表示が求められる。
【００３９】
（第１の実施形態）
図６（ａ）は第１の実施形態のコレステリック液晶表示装置の構造を示す平面図、図６（ｂ）は図６（ａ）のIII−III線による断面図である。
【００４０】
第１の実施形態に係る液晶表示装置は、図６（ｂ）に示すように、２枚の表示パネル６０ａ，６０ｂを重ね合わせ、接着剤６７で接合した構造を有している。表示パネル６０ａの下側には、表示パネル６０ａ，６０ｂを透過した光を吸収する黒色の光吸収層（図示せず）が配置されている。
【００４１】
表示パネル６０ａ，６０ｂは、いずれも曲げ性を有するフィルム状の透明基板６１，６６間にコレステリック液晶層６３を挟んだ構造を有している。また、表示パネル６０ａ，６０ｂは、いずれも隔壁６４により、１つのカラー表示画素に対応する領域（図６（ａ）中に破線で囲んだ領域）が、赤色表示領域Ｒ、緑色表示領域Ｇ、青色表示領域Ｂ及び白色表示領域Ｗに分割されている。
【００４２】
なお、赤色表示領域Ｒ，緑色表示領域Ｇ、青色表示領域Ｂ及び赤色表示領域Ｗは、いずれも一辺が１００μｍの正方形である。また、透明基板６１，６６間の間隔（セルギャップ）は、例えば４μｍである。
【００４３】
透明基板６１の液晶層６３側の面には、色表示領域の縦方向の長さに対応する幅で横方向に延びる第１の副画素電極６２が形成されている。これと同様に、透明基板６６の液晶層６３側の面には、色表示領域の横方向の長さに対応する幅で縦方向に延びる第２の副画素電極６５が形成されている。これらの第１及び第２の副画素電極６２，６５は、いずれもＩＴＯ等の透明導電材料により形成されている。
【００４４】
表示パネル６０ａの赤色表示領域Ｒには、プレーナ状態のときに赤色の左円偏光を反射するコレステリック液晶（Ｒ−Ｌ体）が封入されている。また、表示パネル６０ａの緑色表示領域Ｇには、プレーナ状態のときに緑色の左円偏光を反射するコレステリック液晶（Ｇ−Ｌ体）が封入されている。更に、表示パネル６０ａの青色表示領域Ｂには、プレーナ状態のときに青色の左円偏光を反射するコレステリック液晶（Ｂ−Ｌ体）が封入されている。更にまた、表示パネル６０ａの白色表示領域Ｗには、プレーナ状態のときにシアン色の左円偏光を反射するコレステリック液晶（Ｃ−Ｌ体）が封入されている。
【００４５】
一方、表示パネル６０ｂの赤色表示領域Ｒには、プレーナ状態のときに赤色の右円偏光を反射するコレステリック液晶（Ｒ−Ｒ体）が封入されている。また、表示パネル６０ｂの緑色表示領域Ｇには、プレーナ状態のときに緑色の右円偏光を反射するコレステリック液晶（Ｇ−Ｒ体）が封入されている。更に、表示パネル６０ｂの青色表示領域Ｂには、プレーナ状態のときに青色の右円偏光を反射するコレステリック液晶（Ｂ−Ｒ体）が封入されている。更にまた、表示パネル６０ｂの白色表示領域Ｗには、プレーナ状態のときにイエロー色の左円偏光を反射するコレステリック液晶（Ｙ−Ｌ体）が封入されている。
【００４６】
なお、第１及び第２の表示パネル６０ａ，６０ｂの白色表示領域Ｗに封入する液晶は、それらの液晶により反射される光が混合して白色（白色に近い色）に見えるものであることが必要である。
【００４７】
本実施形態の液晶表示装置では、第１及び第２の副画素電極６２，６５間に印加する電圧を制御することにより、第１及び第２の副画素電極６２，６５が交差する領域（すなわち、副画素）の液晶分子の状態（プレーナ状態、フォーカルコニック状態又はそれらが混在する状態）を制御することができる。
【００４８】
また、本実施形態では、表示パネル６０ａの赤色表示領域Ｒは表示パネル６０ｂの赤色表示領域Ｒに重なり、表示パネル６０ａの緑色表示領域Ｇは表示パネル６０ｂの緑色表示領域Ｇに重なり、表示パネル６０ａの青色表示領域Ｂは表示パネル６０ｂの青色表示領域Ｂに重なり、表示パネル６０ａの白表示領域Ｗは表示パネル６０ｂの白表示領域Ｗに重なっている。
【００４９】
このように形成された本実施形態の液晶表示装置において、白表示時には、表示パネル６０ａ，６０ｂにより赤色の右円偏光及び左円偏光、緑色の右円偏光及び左円偏光、並びに青色の右円偏光及び左円偏光が反射される。従って、表示パネルが１枚のときに比べて２倍の赤色光、緑色光及び青色光が得られる。
【００５０】
また、本実施形態の液晶表示装置においては、表示パネル６０ａの白表示領域Ｗによりシアン色の光が反射され、表示パネル６０ｂの白表示領域Ｗによりイエロー色の光が反射されて、それらのシアン色及びイエロー色の光が混合したほぼ白色の光が得られる。前述したように、反射型表示装置の明るさはＹ値に関係し、赤色、緑色及び青色の光に白色の光を混ぜると、Ｙ値が大きくなる。このため、本実施形態の液晶表示装置では、カラー表示画素の大きさが同じであるとすると、参考例３の表示装置に比べて赤色表示領域Ｒ、緑色表示領域Ｇ及び青色表示領域Ｂの面積が若干小さくなるものの、白色表示領域ＷによりＹ値が大きくなり、その結果参考例３の表示装置に比べて明るい表示が可能になる。
【００５１】
また、本実施形態の液晶表示装置では、表示パネルが２枚でよいので、参考例１の液晶表示装置に比べて曲げ性が良好であり、製造コストも低減できる。
【００５２】
以下、本実施形態の表示装置の製造方法を、図６（ａ），（ｂ）を参照して説明する。
【００５３】
まず、第１の透明基板６１として、樹脂により形成されたフレキシブル性を有する透明基板を用意する。そして、第１の透明基板６１の上側全面に、スパッタ法によりＩＴＯ又はその他の透明導電体材料からなる透明導電体膜を形成する。その後、フォトリソグラフィ法及びエッチング法を用いて透明導電体膜をパターニングし、横方向に延びる副画素電極６２を縦方向に一定のピッチで並ぶように形成する。
【００５４】
次に、第１の透明基板６１の上にフォトレジスト膜を形成し、露光及び現像処理を施して、各色表示領域を分離する隔壁６４を形成する。
【００５５】
また、第１の透明基板６１と同様に、フレキシブル性を有する第２の透明基板６６の上に透明導電体膜を形成し、この透明導電体膜をパターニングして、縦方向に延びる副画素電極６５を横方向に一定のピッチで並ぶように形成する。
【００５６】
次に、インクジェット方式の液晶充填装置により、第１の透明基板６１の赤色表示領域Ｒ、緑色表示領域Ｇ、青色表示領域Ｂ及び白色表示領域Ｗに、それぞれＲ−Ｌ体、Ｇ−Ｌ体、Ｂ−Ｌ体及びＣ−Ｌ体のコレステリック液晶を注入する。そして、接着剤により、第１の透明基板６１の上に第２の透明基板６６を接合する。このようにして、第１の表示パネル６０ａが形成される。
【００５７】
また、第１の表示パネル６０ａと同様にして、赤色表示領域Ｒ、緑色表示領域Ｇ、青色表示領域Ｂ及び白色表示領域Ｗに、それぞれＲ−Ｒ体、Ｇ−Ｒ体、Ｂ−Ｒ体及びＹ−Ｌ体のコレステリック液晶を密閉した第２の表示パネル６０ｂを形成する。
【００５８】
次いで、第１の表示パネル６０ａと第２の表示パネル６０ｂとを重ね合わせ、接着剤６７により接合する。このようにして、本実施形態に係る液晶表示装置が完成する。
【００５９】
なお、上記実施形態では第１の表示パネル６０ａ及び第２の表示パネル６０ｂの白色表示領域Ｗに封入する液晶をいずれもＬ体（Ｃ−Ｌ体及びＹ−Ｌ体）としているが、どちらか一方又は両方をＲ体（Ｃ−Ｒ体、Ｙ−Ｒ体）の液晶としてもよい。
【００６０】
また、上記実施形態では第１の表示パネル６０ａの白色表示領域ＷにＣ−Ｌ体の液晶を封入し、第２の表示パネル６０ｂの白表示領域ＷにＹ−Ｌ体の液晶を封入している。しかし、第１の表示パネル６０ａの白色表示領域ＷにＹ−Ｌ体又はＹ−Ｒ体の液晶を封入し、第２の表示パネル６０ｂの白表示領域ＷにＣ−Ｌ体又はＣ−Ｒ体の液晶を封入してもよい。
【００６１】
更に、上記実施形態では第１の表示パネル６０ａの赤色表示領域ＲにＬ体の液晶を封入し、第２の表示パネル６０ｂの赤色表示領域ＲにＲ体の液晶を封入している。しかし、どちらか一方の表示パネルの赤色表示領域ＲにＬ体の液晶を封入し、他方の表示パネルにＲ体の液晶を封入すればよい。緑色表示領域Ｇ及び青色表示領域Ｂも同様である。例えば、第１の表示パネル６０ａの赤色表示領域Ｒ、緑色表示領域Ｇ及び青色表示領域ＢにそれぞれＬ体、Ｒ体及びＬ体の液晶を封入し、第２の表示パネル６０ｂの赤色表示領域Ｒ、緑色表示領域Ｇ及び青色表示領域ＢにそれぞれＲ体、Ｌ体及びＲ体の液晶を封入してもよい。
【００６２】
（変形例）
図７は、第１の実施形態の変形例を示す平面図である。この図７は、コレステリック液晶表示装置の１カラー表示画素分の領域を示している。
【００６３】
図６に示す第１の実施形態では、赤色表示領域Ｒ，緑色表示領域Ｇ、青色表示領域Ｂ及び白色表示領域Ｗの面積を同一としている。これに対し、図７に示す変形例では、赤色表示領域Ｒ，緑色表示領域Ｇ、青色表示領域Ｂ及び白色表示領域Ｗの面積比を、Ｒ：Ｇ：Ｂ：Ｗ＝１：２：２：４としている。
【００６４】
図８は、横軸に白表示領域Ｗの面積比をとり、縦軸に明度比をとって、両者の関係をシミュレーションにより計算した結果を示す図である。但し、横軸は、カラー表示画素の面積を１としたときの白表示領域Ｗの面積を示している。また、縦軸は、参考例３の明度を１としている。この図８からわかるように、白表示領域Ｗの面積を大きくするほど、明度が高くなる。但し、白表示領域Ｗの面積が大きくなるほど有彩色を表示したときの色純度が低下するので、１カラー表示画素領域（Ｒ＋Ｇ＋Ｂ＋Ｗ）に対する白表示領域Ｗの面積比（Ｗ／（Ｒ＋Ｇ＋Ｂ＋Ｗ））は、０．５以下とすることが好ましい。
【００６５】
（第２の実施形態）
図９は第２の実施形態に係る液晶表示装置を示す模式図であり、第１及び第２の表示パネルの各色表示領域に封入する液晶を示している。なお、第２の実施形態が第１の実施形態と異なる点は、第１及び第２の表示パネルの色表示領域の重なり状態が異なることにあり、その他の構成は第１の実施形態と基本的に同一であるので、重複する部分の説明は省略する。
【００６６】
本実施形態では、図９に示すように、第１の表示パネル６０ａの赤色表示領域Ｒの上に第２の表示パネル６０ｂの赤色表示領域Ｒが重なり、第１の表示パネル６０ａの青色表示領域Ｂの上に第２の表示パネル６０ｂの緑色表示領域Ｂが重なる。また、第１の表示パネル６０ａの緑色表示領域Ｇの上に第２の表示パネル６０ｂの青色表示領域Ｂが重なり、第１の表示パネル６０ａの白色表示領域Ｗの上に第２の表示パネル６０ｂの白色表示領域Ｗが重なる。
【００６７】
第１の表示パネル６０ａの赤色表示領域ＲにはＲ−Ｌ体の液晶が封入され、青色表示領域ＢにはＢ−Ｌ体の液晶が封入され、緑色表示領域ＧにはＧ−Ｌ体の液晶が封入され、白色表示領域ＷにはＣ−Ｌ体の液晶が封入されている。また、第２の表示パネル６０ｂの赤色表示領域ＲにはＲ−Ｒ体の液晶が封入され、緑色表示領域ＧにはＧ−Ｒ体の液晶が封入され、青色表示領域ＢにはＢ−Ｒ体の液晶が封入され、白色表示領域ＷにはＹ−Ｌ体の液晶が封入されている。
【００６８】
本実施形態のように上下方向に重なる２つの色表示領域で反射する光の色が異なっていても、第１の実施形態と同様にカラー表示（多色表示）が可能である。
【００６９】
本実施形態においても、液晶表示装置が２枚の表示パネルにより形成されているため、第１の実施形態と同様に、参考例１の表示装置に比べて曲げ性が良好であり、製造コストが低減されるという効果が得られる。
【００７０】
（第３の実施形態）
図１０は第３の実施形態に係る液晶表示装置を示す模式図であり、第１及び第２の表示パネルの各色表示領域に封入する液晶を示している。なお、第３の実施形態が第１の実施形態と異なる点は、第１及び第２の表示パネルの色表示領域の大きさが異なることにあり、その他の構成は第１の実施形態と基本的に同一であるので、重複する部分の説明は省略する。
【００７１】
本実施形態では、図１０に示すように、第１の表示パネル６０ａの赤色表示領域Ｒ、青色表示Ｂ、緑色表示領域Ｇ及び白色表示領域Ｗの大きさの比が、Ｒ：Ｂ：Ｇ：Ｗ＝１／４：２／６：１／６：１／４となっている。また、第２の表示パネル６０ｂの赤色表示領域Ｒ、青色表示Ｂ、緑色表示領域Ｇ及び白色表示領域Ｗの大きさの比が、Ｒ：Ｂ：Ｇ：Ｗ＝１／４：１／６：２／６：１／４となっている。
【００７２】
第１の表示パネル６０ａの赤色表示領域ＲにはＲ−Ｌ体の液晶が封入され、青色表示領域ＢにはＢ−Ｌ体の液晶が封入され、緑色表示領域ＧにはＧ−Ｌ体の液晶が封入され、白色表示領域ＷにはＣ−Ｌ体の液晶が封入されている。また、第２の表示パネル６０ｂの赤色表示領域ＲにはＲ−Ｒ体の液晶が封入され、緑色表示領域ＧにはＧ−Ｒ体の液晶が封入され、青色表示領域ＢにはＢ−Ｒ体の液晶が封入され、白色表示領域ＷにはＹ−Ｌ体の液晶が封入されている。
【００７３】
そして、第１の表示パネル６０ａの赤色表示領域Ｒの上に第２の表示パネル６０ｂの赤色表示領域Ｒが重なり、第１の表示パネル６０ａの青色表示領域Ｂの上に第２の表示パネル６０ｂの青色表示領域Ｂと緑色表示領域Ｇの一部とが重なる。また、第１の表示パネル６０ａの緑色表示領域Ｇの上に第２の表示パネル６０ｂの緑色表示領域Ｇの残りが重なり、第１の表示パネル６０ａの白色表示領域Ｗの上に第２の表示パネル６０ｂの白色表示領域Ｗが重なる。
【００７４】
表示装置に表示される色は、色表示領域の大きさだけでなく、駆動回路の特性にも関係する。従って、赤色表示領域Ｒ、緑色表示領域Ｇ及び青色表示領域Ｂの大きさは同じである必要がなく、図１０のように異なっていてもよい。
【００７５】
本実施形態においても、液晶表示装置が２枚の表示パネルにより形成されているため、第１の実施形態と同様に、参考例１の表示装置に比べて曲げ性が良好であり、製造コストが低減されるという効果が得られる。
【００７６】
（第４の実施形態）
図１１は、第４の実施形態に係る液晶表示装置を示す平面図である。本実施形態に係る液晶表示装置が第１の実施形態の液晶表示装置と異なる点は副画素の配列が異なることにあり、その他の構造は基本的に第１の実施形態と同様であるので、重複する部分の説明は省略する。
【００７７】
本実施形態に係る液晶表示装置も、第１の実施形態と同様に２枚の表示パネルを重ね合わせて形成されている。これらの表示パネルは、いずれも縦方向に延びる隔壁７４により分割された赤色表示領域Ｒ、緑色表示領域Ｇ、青色表示領域Ｂ及び白色表示領域Ｗが横方向に並んで、１つのカラー表示画素（図１１中に破線で囲んだ領域）を形成している。
【００７８】
一方の表示パネルの赤色表示領域Ｒ、緑色表示領域Ｇ、青色表示領域Ｂ及び白色表示領域Ｗには、それぞれプレーナ状態のときに赤色の左円偏光を反射する液晶（Ｒ−Ｌ体）、緑色の左円偏光を反射する液晶（Ｇ−Ｌ体）、青色の左円偏光を反射する液晶（Ｂ−Ｌ体）、及びシアン色の左円偏光を反射する液晶（Ｃ−Ｌ体）が封入されている。また、他方の表示パネルの赤色表示領域Ｒ、緑色表示領域Ｇ、青色表示領域Ｂ及び白色表示領域Ｗには、それぞれプレーナ状態のときに赤色の右円偏光を反射する液晶（Ｒ−Ｒ体）、緑色の右円偏光を反射する液晶（Ｇ−Ｒ体）、青色の右円偏光を反射する液晶（Ｂ−Ｒ体）、及びイエロー色の左円偏光を反射する液晶（Ｙ−Ｌ体）が封入されている。
【００７９】
表示パネルは、第１及び第２の透明基板により形成されている。第１及び第２の透明基板間の間隔は、隔壁７４により一定に維持されている。第１の透明基板には、色表示領域の縦方向の長さに対応する幅で横方向に延びる第１の副画素電極７２が形成されている。これと同様に、第２の透明基板の面には、色表示領域の横方向の長さに対応する幅で縦方向に延びる第２の副画素電極７３が形成されている。
【００８０】
図１２〜図１６は、本実施形態に係る液晶表示装置の第１の製造方法を示す図である。
まず、第１の透明基板７１の上にＩＴＯ膜を形成し、フォトリソグラフィ法及びエッチ
ング法によりＩＴＯ膜をパターニングして、第１の副画素電極７２を形成する。また、第２の透明基板（図示せず）の上にＩＴＯ膜を形成し、フォトリソグラフィ法及びエッチング法によりＩＴＯ膜をパターニングして、第２の副画素電極７３を形成する（図１１参照）。
【００８１】
次に、第１の透明基板７１の上にフォトレジスト膜を形成し、露光及び現像処理を施して、各色表示領域に対応する溝７４ａを形成する。この工程で第１の透明基板７１上に残ったフォトレジスト膜が、隔壁７４となる。この工程では、図１２に示すように、赤色表示領域Ｒに対応する溝７４ａは第１の透明基板７１の一方の端部まで延び、緑色表示領域Ｇに対応する溝７４ａは第１の透明基板７１の他方の端部まで延びている。また、青色表示領域Ｂに対応する溝７４ａは第１の透明基板７１の一方の端部近傍まで延び、白色表示領域Ｗに対応する溝７４ａは第１の透明基板７１の他方の端部近傍まで延びている。
【００８２】
次に、第１の透明基板７１の上に第２の透明基板を接合して、表示パネル７０とする。そして、この表示パネル７０を真空チャンバ内に配置する。その後、図１３に示すように、表示パネル７０の一端側をプレーナ状態のときに赤色の光を反射する液晶７６Ｒ（Ｒ−Ｒ体又はＲ−Ｌ体）中に浸漬し、チャンバ内を大気圧に戻す。これにより、液晶７６Ｒが赤色表示領域Ｒに対応する溝７４ａ中に充填される。
【００８３】
次に、図１４に示すように、液晶７６Ｒが充填された溝７４ａの端部に封止材７７を充填する。そして、表示パネル７０の一端側を図１４中に破線で示す位置で切断し、青色表示領域Ｂに対応する溝７４ａ内の空間を外部と連絡する。そして、表示パネル７０を真空チャンバ内に配置する。その後、図１５に示すように、表示パネル７０の一端側をプレーナ状態のときに青色の光を反射する液晶７６Ｂ（Ｂ−Ｒ体又はＢ−Ｌ体）中に浸漬し、チャンバ内を大気圧に戻す。これにより、液晶７６Ｂが青色表示領域Ｂに対応する溝７４ａ中に充填される。
【００８４】
次いで、図１６に示すように、液晶７６Ｂが充填された溝７４ａの端部に封止材７７を充填する。その後、表示パネル７０を上下反転させ、上述した工程と同様にして、表示パネル７０の緑色表示領域Ｇ及び白色表示領域Ｗに対応する溝７４ａにプレーナ状態のときに緑色の光を反射する液晶（Ｇ−Ｒ体又はＧ−Ｌ体）、及びプレーナ状態のときにシアン色又はイエロー色の光を反射する液晶（Ｃ−Ｒ体若しくはＣ−Ｌ体、又はＹ−Ｒ体若しくはＹ−Ｌ体）を封入する。このようにして、本実施形態に係る液晶表示装置が完成する。
【００８５】
図１７は、第４の実施形態に係る液晶表示装置の第２の製造方法を示す図である。
【００８６】
まず、第１の透明基板７１に第１の副画素電極を形成し、第２の透明電極（図示せず）に第２の副画素電極を形成する。その後、図１７に示すように、第１の透明基板７１の上にフォトレジスト膜を形成し、露光及び現像処理を施して各色表示領域を分離する隔壁７４を形成する。隔壁７４で分離された各色表示領域に対応する溝の端部には、液晶滴下領域が設けられる。本実施形態では、赤色表示領域Ｒ及び緑色表示領域Ｇに対応する各溝には共通の液晶滴下領域７８Ｒ，７８Ｇが設けられており、青色表示領域Ｂ及び白色表示領域Ｗには溝毎に液晶滴下領域７８Ｂ，７８Ｗが設けられている。
【００８７】
次いで、真空チャンバ内で、第１の透明基板７１の各液晶滴下領域７８Ｒ，７８Ｇ，７８Ｂ，７８Ｗにそれぞれ所定の液晶を滴下する。この場合、各色表示領域に液晶が十分充填され、かつ他の色表示領域にあふれ出すことがないように滴下量を調整することが重要である。その後、第１の透明基板７１の上に第２の透明基板を接合して表示パネルとした後、真空チャンバから表示パネルを取り出す。このようにして、本実施形態に係る液晶表示装置が完成する。
【００８８】
（その他の実施形態）
第１〜第４の実施形態ではいずれも色表示領域間を隔壁により分離しているが、高分子分散型液晶を用いて隔壁を不要としてもよい。
【００８９】
図１８（ａ）〜（ｄ）は、高分子分散型液晶を用いた表示パネルの製造方法を工程順に示す模式図である。
【００９０】
まず、光照射で不斉特性が変化するカイラル剤を用いて、例えばプレーナ状態のときに赤色の左円偏光を反射する液晶を調整する。そして、図１８（ａ）に示すように調整後の液晶８３を第１及び第２の透明基板８１，８２間に封入した後に高分子を重合させて、高分子分散型液晶表示パネル８０とする。図１８（ａ）中の符号８３ａは、高分子（ポリマー）中に分散して存在する液晶分子を模式的に示している。
【００９１】
次に、図１８（ｂ）に示すように、表示パネル８０の上に青色表示領域Ｂに対応する開口部を有するマスク８６Ｂを配置し、所定量の光を照射する。この光照射によりカイラル剤の不斉特性が変化し、青色表示領域Ｂの液晶分子８３ａはプレーナ状態のときに青色光を反射するようになる。
【００９２】
次に、図１８（ｃ）に示すように、表示パネル８０の上に緑色表示領域Ｇに対応する開口部を有するマスク８６Ｇを配置し、所定量の光を照射する。この光照射によりカイラル剤の不斉特性が変化し、緑色表示領域Ｇの液晶分子８３ａはプレーナ状態のときに緑色光を反射するようになる。
【００９３】
次に、図１８（ｄ）に示すように、表示パネル８０の上に白色表示領域Ｗに対応する開口部を有するマスク８６Ｗを配置し、所定量の光を照射する。この光照射によりカイラル剤の不斉特性が変化し、白色表示領域Ｗの液晶分子８３ａはプレーナ状態のときにイエロー光を反射するようになる。このようにして、第１の表示パネルが形成される。
【００９４】
また、上記と同様にして、赤色表示領域Ｒ、緑色表示領域Ｇ、青色表示領域Ｂ及び白色表示領域Ｗにそれぞれプレーナ状態のときに赤色光、緑色光、青色光及びシアン色光を反射する液晶分子が配置された第２の表示パネルを形成する。但し、第２の表示パネルでは、カイラル剤により液晶分子の螺旋構造（嘗性）を制御して、右円偏光を反射するようにする。
【００９５】
次いで、第１及び第２の表示パネルを形成した後、接着剤により第１の表示パネルの上に第２の表示パネルを接合する。このようにして、２枚の表示パネルでカラー表示が可能な液晶表示装置が完成する。
【００９６】
上記した実施形態を含む諸態様に関し、更に以下の付記を開示する。
【００９７】
（付記１）第１の波長の光を反射する第１の副画素、第２の波長の光を反射する第２の副画素、及び第３の波長の光を反射する第３の副画素を有する第１の表示パネルと、
前記第１の波長の光を反射する第４の副画素、前記第２の波長の光を反射する第５の副画素、及び前記第１乃至第３の波長のいずれとも異なる第４の波長の光を反射する第６の副画素を有し前記第１の表示パネルに重ねて配置される第２の表示パネルとを具備し、
前記第１の副画素及び前記第４の副画素のいずれか一方の副画素で反射される光が左円偏光、他方の副画素で反射される光が右円偏光であり、
前記第２の副画素及び前記第５の副画素のいずれか一方の副画素で反射される光が左円偏光、他方の副画素で反射される光が右円偏光であることを特徴とする表示装置。
【００９８】
（付記２）前記第３の波長の光及び前記第４の波長の光のいずれか一方がシアン光であり、他方がイエロー光であることを特徴とする付記１に記載の表示装置。
【００９９】
（付記３）前記第１及び第２の表示パネルが、いずれも一対の透明基板間にコレステリック液晶を挟んだ構造を有することを特徴とする付記１又は２に記載の表示装置。
【０１００】
（付記４）前記第１及び第２の表示パネルがフレキシブル性を有することを特徴とする付記１又は２に記載の表示装置。
【０１０１】
（付記５）前記第１乃至第３の副画素が相互に隣接して配置され、前記第４乃至第６の副画素が相互に隣接して配置されていることを特徴とする付記１又は２に記載の表示装置。
【０１０２】
（付記６）前記第１乃至第６の副画素の大きさが同じであることを特徴とする付記１又は２に記載の表示装置。
【０１０３】
（付記７）前記第１乃至第３の副画素の少なくとも１つの副画素の大きさが他の副画素の大きさと異なり、前記第４乃至第６の副画素の少なくとも１つの副画素の大きさが他の副画素の大きさと異なることを特徴とする付記１又は２に記載の表示装置。
【０１０４】
（付記８）前記第１及び第２の表示パネルが、高分子分散型液晶表示パネルであることを特徴とする付記１又は２に記載の表示装置。
【０１０５】
（付記９）赤色光を反射する第１の赤副画素と、緑色光を反射する第１の緑副画素と、青色光を反射する第１の青副画素と、シアン光を反射する第１の白副画素とを有する第１の表示パネルと、
赤色光を反射する第２の赤副画素と、緑色光を反射する第２の緑副画素と、青色光を反射する第２の青副画素と、イエロー光を反射する第２の白副画素とを有し前記第１の表示パネルの重ねて配置される第２の表示パネルとを具備し、
前記第１及び第２の赤副画素のいずれか一方の副画素で反射される光が左円偏光、他方の副画素で反射される光が右円偏光であり、
前記第１及び第２の緑副画素のいずれか一方の副画素で反射される光が左円偏光、他方の副画素で反射される光が右円偏光であり、
前記第１及び第２の青副画素のいずれか一方の副画素で反射される光が左円偏光、他方の副画素で反射される光が右円偏光であることを特徴とする表示装置。
【０１０６】
（付記１０）前記第１及び第２の表示パネルが、いずれも一対の透明基板間にコレステリック液晶を挟んだ構造を有することを特徴とする付記９に記載の表示装置。
【図面の簡単な説明】
【０１０７】
【図１】図１（ａ），（ｂ）は、コレステリック液晶表示装置の原理を示す模式図である。
【図２】図２は、コレステリック液晶表示装置の一例（参考例１）を示す断面図である。
【図３】図３（ａ）は参考例１のコレステリック液晶表示装置の赤色用表示パネルの平面図、図３（ｂ）は赤色用表示パネルの断面の一部を拡大して示す図である。
【図４】図４（ａ）は参考例２のコレステリック液晶表示装置の構造を示す平面図、図４（ｂ）は図４（ａ）のＩ−Ｉ線による断面図である。
【図５】図５（ａ）は参考例３のコレステリック液晶表示装置の構造を示す平面図、図５（ｂ）は図５（ａ）のII−II線による断面図である。
【図６】図６（ａ）は第１の実施形態のコレステリック液晶表示装置の構造を示す平面図、図６（ｂ）は図６（ａ）のIII−III線による断面図である。
【図７】図７は、第１の実施形態の変形例を示す平面図である。
【図８】図８は、白表示領域の面積比と明度比との関係をシミュレーションにより計算した結果を示す図である。
【図９】図９は第２の実施形態に係る液晶表示装置を示す模式図であり、第１及び第２の表示パネルの各色表示領域に封入する液晶を示している。
【図１０】図１０は第３の実施形態に係る液晶表示装置を示す模式図であり、第１及び第２の表示パネルの各色表示領域に封入する液晶を示している。
【図１１】図１１は、第４の実施形態に係る液晶表示装置を示す平面図である。
【図１２】図１２は、第４の実施形態に係る液晶表示装置の第１の製造方法を示す図（その１）である。
【図１３】図１３は、第４の実施形態に係る液晶表示装置の第１の製造方法を示す図（その２）である。
【図１４】図１４は、第４の実施形態に係る液晶表示装置の第１の製造方法を示す図（その３）である。
【図１５】図１５は、第４の実施形態に係る液晶表示装置の第１の製造方法を示す図（その４）である。
【図１６】図１６は、第４の実施形態に係る液晶表示装置の第１の製造方法を示す図（その５）である。
【図１７】図１７は、第４の実施形態に係る液晶表示装置の第２の製造方法を示す図である。
【図１８】図１８（ａ）〜（ｄ）は、高分子分散型液晶を用いた表示パネルの製造方法を工程順に示す模式図である。
【符号の説明】
【０１０８】
１０…表示パネル、１１，１２…透明基板、１３…コレステリック液晶層、２１…赤色用表示パネル、２２…緑色用表示パネル、２３…青色用表示パネル、２４…光吸収層、２５…接着剤、３１，３５…透明基板、３２…行電極、３３…コレステリック液晶層、３４…列電極、３６…スペーサ、３７…シール材４１，４６、…透明基板、４２，４５…副画素電極、４３…コレステリック液晶層、４４…隔壁、５０ａ，５０ｂ…表示パネル、５１，５６…透明基板、５２，５５…副画素電極、５３…コレステリック液晶層、５４…隔壁、５７…接着剤、６０ａ，６０ｂ…表示パネル、６１，６６…透明基板、６２，６５…副画素電極、６３…コレステリック液晶層、６４…隔壁、６７…接着剤、７０…表示パネル、７２，７３…副画素電極、７４…隔壁、７４ａ…溝、７７…封止材、８０…高分子分散型液晶表示パネル、８１ａ，８１ｂ…透明基板。
【図１】
2010039038.tif 000003
【図２】
2010039038.tif 000004
【図３】
2010039038.tif 000005
【図４】
2010039038.tif 000006
【図５】
2010039038.tif 000007
【図６】
2010039038.tif 000008
【図７】
2010039038.tif 000009
【図８】
2010039038.tif 000010
【図９】
2010039038.tif 000011
【図１０】
2010039038.tif 000012
【図１１】
2010039038.tif 000013
【図１２】
2010039038.tif 000014
【図１３】
2010039038.tif 000015
【図１４】
2010039038.tif 000016
【図１５】
2010039038.tif 000017
【図１６】
2010039038.tif 000018
【図１７】
2010039038.tif 000019
【図１８】
2010039038.tif 000020